(57)【要約】【課題】還元性窒素化合物を注入し炉原子炉内構造材の腐食を抑制するプラントにおいて、還元性窒素化合物から生成するアンモニアを分離、分解処理する設備を提供する。【解決手段】原子力発電プラントの復水脱塩器の再生時に排出されるアンモニア含有再生廃液の処理方法であって、排出されたアンモニア含有再生廃液にアルカリを添加する工程と、加熱下に空気を通気してアンモニアを気相分離させる工程と、生じたアンモニアガスを触媒で分解する工程とを含む前記方法。【選択図】なし【特許請求の範囲】
【請求項１】
原子力発電プラントの復水脱塩器の再生時に排出されるアンモニア含有再生廃液の処理方法であって、排出されたアンモニア含有再生廃液を加熱して蒸発させる工程と、蒸発した蒸気を冷却して凝縮水とする工程と、凝縮水を電極と陽イオン交換膜とを備えた電気再生式純水装置に通して陰極側にアンモニア濃縮水を生成させる工程と、気相分離したアンモニアガスを触媒で分解する工程とを含む前記方法。
【請求項２】
電気再生式純水装置の陰極側に生成するアンモニア濃縮水を前記凝縮水に循環させることにより、凝縮水中のアンモニア濃度を高めてアンモニアを気相分離させることを含む請求項１記載の方法。
【請求項３】
凝縮水に空気を通気する、及び／又は凝縮水を加熱することを含む請求項１又は２記載の方法。
【請求項４】
気相分離したアンモニアガスを触媒で分解する工程が、２５０〜３００℃において、アンモニアガスの１時間あたりの供給速度を触媒体積の１／１５０００以下として行われることを特徴とする請求項１〜３のいずれか１項記載の方法。
【請求項５】
原子力発電プラントの復水脱塩器の再生時に排出されるアンモニア含有再生廃液の処理装置であって、排出されたアンモニア含有再生廃液の加熱蒸発装置と、加熱蒸発装置からの蒸気を冷却する凝縮器と、凝縮器からの凝縮水を受け入れる凝縮水タンクと、凝縮水からアンモニア濃縮水を生成させるための電気再生式純水装置と、気相分離したアンモニアガスを分解する触媒とを備えた前記装置。
【請求項６】
電気再生式純水装置で生成するアンモニア濃縮水が凝縮水タンクに循環するように配管を備えた請求項５記載の装置。
【発明の詳細な説明】
【技術分野】
【０００１】
本発明は、原子力プラントの復水を浄化するために用いられる復水脱塩器の再生処理時に排出されるアンモニア含有再生廃液の処理方法及びそのための装置に関する。
【背景技術】
【０００２】
原子力発電は、原子炉圧力容器で水を蒸気に変換し、発生した蒸気でタービンを回転させることにより発電を行う。
【０００３】
一般的な沸騰水型原子力プラントを図１に示す。沸騰水型原子力プラントは復水冷却器１２と復水脱塩器３と給水ポンプ４と給水加熱器５と核燃料の装荷された原子炉圧力容器１を給水系配管６で接続し、原子炉圧力容器１とタービン２を主蒸気配管１３で接続することにより閉ループを構成する。原子炉冷却剤として水を使い、原子炉圧力容器１で水を蒸気にして、蒸気を使ってタービンを回転させ、発電機（図示せず）を回転させて発電を行う。蒸気は復水冷却器１２で水に戻されて復水ろ過脱塩器３で不純物が除去され、最終的に給水ポンプ４で給水加熱器５を通して原子炉圧力容器１に戻される。
【０００４】
プラント運転中、原子炉冷却水は高温となり（本発明では100℃以上を高温とし、定格出力運転時の炉心出口温度は288℃）、炉心の強いガンマ線及び中性子線の作用により放射線分解して放射線分解生成物である酸素及び過酸化水素が数百ppb程度生成する。炉内構造物や圧力境界を構成する構造材料（ステンレス、ニッケル基合金）はこのような放射線分解生成物を含む高温の原子炉冷却水に曝されることになる。
【０００５】
原子炉冷却水中の酸素及び過酸化水素等を低減するために、水素を注入して過酸化水素及び酸素等を低減する方法が知られている（特許第２８６５７２６号）。
【０００６】
この他に、原子炉冷却水中の酸素及び過酸化水素等を低減する方法としては、炉水中に水素と還元性窒素化合物（例えば、ヒドラジン）を注入する方法が提案されている（特開２００５−４３０５１号）。この方法は、タービン系の線量上昇を抑制し、かつ原子炉水全体の酸化剤濃度を低減できることから、将来の炉水環境改善技術として注目されている。
【０００７】
ヒドラジンは、原子炉に注入した場合、酸素及び過酸化水素と式１、式２のように反応し、ｐＨや導電率に影響しない窒素分子及び水になるので原子炉水中の酸化剤濃度を低減することが可能となる。ヒドラジンは水素と比較すると酸素及び過酸化水素との反応速度が速く、速やかに反応して窒素と水になる。
【０００８】
Ｎ２Ｈ４  ＋  Ｏ２  →  Ｎ２  ＋  ２Ｈ２Ｏ ・・・・・式１
Ｎ２Ｈ４  ＋  ２Ｈ２Ｏ２  →  Ｎ２  ＋  ４Ｈ２Ｏ・・・式２
ところで、ヒドラジンはγ線照射を受けると式３の反応を起こして窒素以外にアンモニア及び水素を放出する。
【０００９】
Ｎ２Ｈ４  →  ＮＨ３  ＋（１/２）Ｎ２  ＋  （１/２）Ｈ２  ・・・式３
このようにヒドラジン等の還元性窒素化合物の注入を行った場合には、極微量のアンモニアが生成してプラント内に分布することになる。
【００１０】
廃液からアンモニアを除去する方法としては、例えば、アンモニア含有廃液にアルカリ薬品を添加してｐＨを10以上にすることによりアンモニアガスを気相分離させる方法が知られている（例えば、特開平１０−５９４７、特開平１１−３４７５３５）。さらに、大気中にアンモニア含有廃液を噴霧して、廃液と空気との接触面積を増加させることにより廃液中のアンモニアを効果的に気相に移行させる方法も知られている（例えば、特開２００１−１０４９４３、特開平１０−５７４７）。そして、気相分離したアンモニアガスは、次亜臭素酸溶液に接触させ分解させる方法（例えば、特開平７−３１９６６）、直接燃焼法（特開平７−１１６６５）、及び触媒を用いた熱分解法（例えば、特開平１１−３４７５３５）等により分解される。
【００１１】
上述のように、原子力発電プラントにおいて還元性窒素化合物（ヒドラジン等）を注入した場合には、副生成物として微量のアンモニアが生成する。原子炉内で生成したアンモニアは蒸気とともにタービンへ移行し、復水器で再び凝縮水（以下復水と呼ぶ）に溶解する。
【００１２】
復水に溶解したアンモニアは復水中の腐食性生物や不純物等を除去するために設けられている復水脱塩器のイオン交換樹脂に吸着されて復水から除去される。一般に、原子力発電プラントに使用される復水脱塩器のイオン交換容量は非常に大きく、イオン交換容量の点から見れば長期間の連続使用も可能であるが、復水中の低濃度の腐食生成物や不純物でも効率的に除去する必要があり、常に高いレベルのイオン交換能力を維持しておかなければならないので、定期的に復水脱塩器のイオン交換樹脂の再生処理を行なわなければならない。
【００１３】
イオン交換樹脂の再生処理はイオン交換樹脂を化学洗浄液で化学洗浄することにより行われる。イオン交換樹脂に吸着したアンモニアは、イオン交換樹脂を化学洗浄することにより化学洗浄廃液（以下、「再生廃液」又は「再生水」とも言う）中に移行する。この再生廃液は水分を蒸発させることにより濃縮・減容され、濃縮廃液はセメント又はその他の固化材と混合されて安定化処理される。
【００１４】
一方、再生廃液の蒸発留分には水やアンモニアが含まれており、これは凝縮器により再度液体に戻される。この凝縮水はアンモニアやその他の不純物等を除去するために最終的にイオン交換樹脂等でさらに処理される。
【００１５】
再生廃液（凝縮水）中のアンモニア含量が多いとその除去に必要なイオン交換樹脂量も多くなる。この使用済みのイオン交換樹脂は放射性廃棄物として処理されるが、放射性廃棄物の処理には手間がかかり、またコストが高いため、放射性廃棄物の発生量を少なくすることが重要である。
【００１６】
アンモニア含有廃液の処理方法としては、例えば、特開平７−１００４６６号公報、特開平７−２７５８９６号公報、及び特開平８−３９０８１号公報等に記載の方法が挙げられる。しかしながら、放射性廃棄物の発生量の低減を目的として、原子力発電プラントの脱塩装置の再生時に排出される再生廃液からアンモニアを効率的に除去する方法については知られていない。
【先行技術文献】
【特許文献】
【００１７】
【特許文献１】特開平７−１００４６６号公報
【特許文献２】特開平７−２７５８９６号公報
【特許文献３】特開平８−３９０８１号公報
【発明の概要】
【発明が解決しようとする課題】
【００１８】
上述のように、原子力発電プラントの脱塩器からの再生廃液の処理において、再生廃液中のアンモニアの除去のために使用されるイオン交換樹脂が放射性廃棄物として多量に発生することが問題であった。
本発明は、原子力発電プラントの脱塩器からの再生廃液の処理において、再生廃液中のアンモニアを効率的に除去して放射性廃棄物の発生量を低減することができる方法を提供することを目的とする。
【課題を解決するための手段】
【００１９】
本発明者らは、上記課題を解決するために鋭意検討した結果、再生廃液をアルカリで処理するか、又は電気再生式純水装置で処理することにより、再生廃液中のアンモニアを気相分離させて安全に且つ簡便に処理することができ、処理に手間及びコストのかかる放射性廃棄物の発生量を大幅に低減できることを見出し、本発明を完成させるに至った。
【００２０】
即ち、本発明は以下の発明を包含する。
（１）原子力発電プラントの復水脱塩器の再生時に排出されるアンモニア含有再生廃液の処理方法であって、排出されたアンモニア含有再生廃液にアルカリを添加する工程と、加熱下に空気を通気してアンモニアを気相分離させる工程と、生じたアンモニアガスを触媒で分解する工程とを含む前記方法。
（２）アルカリ添加工程において該再生廃液のｐＨを１１〜１２．５に調整することを特徴とする前記（１）記載の方法。
（３）再生廃液を６０℃以上に加熱することを特徴とする前記（１）又は（２）に記載の方法。
（４）再生廃液中のアンモニア濃度を１ｐｐｍ以下とした後に、酸を添加して再生廃液のｐＨを５〜９に調整する工程をさらに含む前記（１）〜（３）のいずれかに記載の方法。（５）気相分離したアンモニアガスを触媒で分解する工程が、２５０〜３００℃において、アンモニアガスの１時間あたりの供給速度を触媒体積の１／１５０００以下として行われることを特徴とする前記（１）〜（４）のいずれかに記載の方法。
（６）原子力発電プラントの復水脱塩器の再生時に排出されるアンモニア含有再生廃液の処理方法であって、排出されたアンモニア含有再生廃液を加熱して蒸発させる工程と、蒸発した蒸気を冷却して凝縮水とする工程と、凝縮水を電極と陽イオン交換膜とを備えた電気再生式純水装置に通して陰極側にアンモニア濃縮水を生成させる工程と、気相分離したアンモニアガスを触媒で分解する工程とを含む前記方法。
（７）電気再生式純水装置の陰極側に生成するアンモニア濃縮水を前記凝縮水に循環させることにより、凝縮水中のアンモニア濃度を高めてアンモニアを気相分離させることを含む前記（６）記載の方法。
（８）凝縮水に空気を通気する、及び／又は凝縮水を加熱することを含む前記（６）又は（７）に記載の方法。
（９）気相分離したアンモニアガスを触媒で分解する工程が、２５０〜３００℃において、アンモニアガスの１時間あたりの供給速度を触媒体積の１／１５０００以下として行われることを特徴とする前記（６）〜（８）のいずれかに記載の方法。
（１０）原子力発電プラントの復水脱塩器の再生時に排出されるアンモニア含有再生廃液の処理装置であって、排出されたアンモニア含有再生廃液を受け入れる回収タンクと、回収タンク中の再生廃液へ添加するアルカリを貯蔵するタンクと、回収タンク中の再生廃液を加熱するための加熱装置と、回収タンク中の再生廃液に空気を通気する装置と、再生廃液から気相分離したアンモニアガスを分解する触媒とを備えた前記装置。
（１１）原子力発電プラントの復水脱塩器の再生時に排出されるアンモニア含有再生廃液の処理装置であって、排出されたアンモニア含有再生廃液の加熱蒸発装置と、加熱蒸発装置からの蒸気を冷却する凝縮器と、凝縮器からの凝縮水を受け入れる凝縮水タンクと、凝縮水からアンモニア濃縮水を生成させるための電気再生式純水装置と、気相分離したアンモニアガスを分解する触媒とを備えた前記装置。
（１２）電気再生式純水装置で生成するアンモニア濃縮水が凝縮水タンクに循環するように配管を備えた前記（１１）記載の装置。
【発明の効果】
【００２１】
原子力発電プラントの復水脱塩器のイオン交換樹脂の再生時に排出される再生廃液をアルカリ又は電気再生式純水装置で処理することにより、再生廃液中のアンモニアを気相分離させることにより、これまでアンモニアの除去のために大量に使用されていたイオン交換樹脂の量を減らすことができ、それにより放射性廃棄物の発生量や廃棄コストを大幅に低減することができる。
【図面の簡単な説明】
【００２２】
【図１】沸騰水型原子力プラントの模式図である。
【図２】アンモニアを含む模擬再生廃液におけるｐＨ、温度及び空気ばっ気と再生廃液中のアンモニア残留濃度との関係を示す図である。
【図３】電気再生式純水装置の構成を示す図である。
【図４】触媒によるアンモニアガス分解試験結果を示す図である。
【図５】復水脱塩器イオン交換樹脂の薬品再生装置及び再生廃液の蒸発濃縮装置の構成を示す図である。
【図６】実施例１で使用した装置の構成を示す図である。
【図７】実施例２で使用した装置の構成を示す図である。
【図８】実施例３で使用した装置の構成を示す図である。
【発明を実施するための形態】
【００２３】
一般的な原子力発電プラント（沸騰水型原子力プラント）の復水脱塩装置のイオン交換樹脂の再生設備及び再生廃液の処理設備（廃棄物処理系）、並びにイオン交換樹脂の再生方法について図５に図示する。
【００２４】
復水は復水配管３２を通って複数の脱塩塔で構成された復水脱塩器３へ流れ、復水脱塩器３に設けられたイオン交換樹脂等により復水中の腐食生成物等の不純物が除去される。腐食生成物吸着等により復水脱塩器中のイオン交換樹脂が劣化し、その浄化性能が低下したら、脱塩塔を復水系から切り離してイオン交換樹脂の再生操作を行う。復水脱塩器にはカチオン樹脂およびアニオン樹脂を混合して充填されているため、イオン交換樹脂の再生はカチオン樹脂とアニオン樹脂とに分離して行われる。まず、イオン交換樹脂を脱塩器３から配管３３を通してイオン交換樹脂分離／カチオン樹脂洗浄塔２１に移送する。イオン交換樹脂分離／カチオン樹脂洗浄塔２１内で、比重が小さいアニオン樹脂が上層に、比重が大きいカチオン樹脂が下層に分離する。上層のアニオン樹脂は配管３４を経由してアニオン樹脂再生塔２２へ送られる。カチオン樹脂はイオン交換樹脂分離／カチオン樹脂洗浄塔２１にそのまま残し、これに硫酸貯槽タンク２４から再生薬品である硫酸が供給される。カチオン樹脂を洗浄した硫酸は配管４０を経由して化学洗浄廃液（再生廃液）回収タンク２６へ回収される。同様にアニオン樹脂には、苛性ソーダ貯槽タンク２５より苛性ソーダがアニオン樹脂再生塔２２へ送られる。アニオン樹脂の再生に使用された苛性ソーダは再生廃液回収タンク２６へ回収される。硫酸及び苛性ソーダにより再生されたイオン交換樹脂は、水洗された後に配管３５および３６を経由して樹脂貯槽タンク２３へ移送されて混合され、配管３７を経由して復水脱塩器３へ戻り、イオン交換樹脂の再生操作が完了する。
【００２５】
再生廃液回収タンクの再生廃液は蒸発濃縮器２７に送られて沸騰加熱され、蒸気と化学洗浄薬品の濃縮液とに分離される。化学洗浄薬品の濃縮液は廃棄物固化設備（図示せず）に送られ、セメント等の固化材と混合されてドラム缶に充填する。再生廃液から蒸発した蒸気は凝縮器２８で冷却されて凝縮水となり、凝縮水回収タンク２９に回収される。次いで、凝縮水は低電導度廃液収集タンク３０へ送られ、廃棄物処理系脱塩器３１で再び浄化され、配管４４より補給水貯槽（図示せず）に貯蔵される。
【００２６】
本発明の処理方法は、原子力発電プラントの復水脱塩器の再生時に排出されたアンモニア含有再生廃液にアルカリを添加し、これに加熱下に空気を通気してアンモニアを気相分離させて、生じたアンモニアガスを触媒で分解することを含む。
【００２７】
再生廃液からアンモニアを気相分離させるためには、アンモニアよりも強いアルカリを添加することが好ましい。そのようなアルカリとしては、例えば、水酸化カリウム、水酸化ナトリウム等のアルカリ金属の水酸化物や、水酸化カルシウム、水酸化マグネシウム等のアルカリ土類金属の水酸化物等が挙げられる。
【００２８】
本発明者らはアルカリの添加量及び処理温度とアンモニアの気相分離量との関係について検討した。イオン交換樹脂の再生廃液を模したアンモニア含有試験溶液（硫酸：３．４％、ＮＨ４：４８０ｐｐｍを含有する）にアルカリ（ＮａＯＨ）を添加して試験溶液を所定のｐＨ及び温度に調整し、試験溶液中のＮＨ４濃度を測定することによりアンモニアガスの気相分離量を調べた。その結果を図２に示す。
【００２９】
図２の結果から、試験溶液の温度を４０℃又は５０℃とした場合は、試験溶液のｐＨを１３まで上昇させると、試験溶液中のほとんどのアンモニア（ＮＨ４＋イオン、ＮＨ３）が気相分離してアンモニアガスとして分離されることがわかった。また、試験溶液の温度を６０℃とした場合には、試験溶液のｐＨは１２．５まで上昇させることにより試験溶液中のアンモニアを気相分離することが可能となる。さらに、再生廃液に空気を通気（バブリング）する操作を同時に行うとｐＨ１１以上で十分アンモニアを気相分離できることが分かった。しかしながら、２５℃以下ではｐＨを上昇させてもアンモニアガスの気相分離量はそれほど増加しなかった。
【００３０】
なお、アンモニアを分離した後の再生廃液は通常蒸発濃縮処理されるが、蒸発濃縮器のアルカリによる腐食を抑制するために、蒸発濃縮器に送る前の廃液を酸で中和しておく必要がある。このため、再生廃液にアルカリを添加してアンモニアを気相分離させた後、該廃液に硫酸等の酸を添加して廃液のｐＨを５〜９、好ましくは８〜９の範囲に中和する。
【００３１】
ところで、添加されたアルカリ及び酸は後の蒸発濃縮工程により濃縮されて放射性廃棄物として廃棄されるが、添加されるアルカリの量が多いと、その中和に必要となる酸の添加量も多くなり、その結果放射性廃棄物量が増大することになるので、再生廃液へのアルカリの添加量はできるだけ少なくすることが好ましい。図２の結果からも分かるように、再生廃液の処理温度を６０℃とし、空気をバブリングしながら行えば、再生溶液のｐＨが１３以下、好ましくはｐＨが１１〜１２．５でも効果的にアンモニアガスを気相分離させることができ、アルカリの添加量を少なくすることができる。
【００３２】
処理前の再生廃液中のアンモニア濃度は通常１００〜５００ｐｐｍであるが、上記のようにしてアルカリ処理することにより再生廃液中のアンモニア濃度は大幅に低減される。本発明では、再生廃液中のアンモニア濃度を１ｐｐｍ以下とすることが好ましい。
【００３３】
さらに本発明は、原子力発電プラントの復水脱塩器の再生時に排出されたアンモニア含有再生廃液を蒸発濃縮器で加熱蒸発させ、蒸発した蒸気を冷却して凝縮水とし、この凝縮水を電極と陽イオン交換膜とを備えた電気再生式純水装置に通して陰極側にアンモニア濃縮水を生成させ、気相分離したアンモニアガスを触媒で分解することを含む再生廃液の処理方法を提供する。
【００３４】
この方法では、まず復水脱塩器の再生時に排出されたアンモニア含有再生廃液は蒸発濃縮器により濃縮廃液と蒸発留分廃液とに分離される。アンモニアは水とともに蒸発して蒸発留分廃液へと移り、この蒸発した再生廃液は凝縮器により冷却されて凝縮水となり凝縮水タンクに受け入れられる。次いで、凝縮水を陽イオン交換膜を備えた電気再生式純水装置に通して通電することにより、陰極側にアンモニア成分（アンモニウムイオン）を濃縮させて凝縮水中のアンモニア濃度を高めることによりアンモニアを気相分離させる。
【００３５】
電気再生式純水装置は図３に示すように、陽極１６と陰極１７との間に陽イオン交換膜１８を配置した装置である。陽イオン交換膜は、陽イオンを容易に通過させるが陰イオンは通過させない性質を有している。電気再生式純水装置の陽極及び陰極に直流電圧を印加すると、電気再生式純水装置内の陽極側の脱塩室１９に存在するアンモニウムイオンは陰極に引き寄せられて陽イオン交換膜を通り抜けて濃縮室２０に移動し、濃縮室２０内にはアンモニア（アンモニウムイオン）濃度が高められたアンモニア濃縮水が生成する。アンモニア濃縮水中のアンモニア濃度が高くなるとアンモニアが気相分離してくるので、これを捕捉して触媒等で分解する。
【００３６】
好ましくは、濃縮室２０内のアンモニア濃縮水を凝縮水タンクに戻し、再度電気再生式純粋装置に通すという循環運転を行う。これにより凝縮水タンク中のアンモニア濃度を効率的に高めることができる。
【００３７】
さらには凝縮水タンクの凝縮水に空気を通気する及び／又は加熱することにより、凝縮水中のアンモニアの気相分離の効率を相乗的に向上することができる。
【００３８】
電気再生式純水装置を用いる方法では、アルカリ等の化学薬品を添加する必要が無いので、廃棄物量が増大することを抑制できるという利点がある。
【００３９】
上記のようにして気相分離したアンモニアガスは公知の方法により処理する。アンモニアガスの処理方法としては、例えば、触媒を用いる熱分解が挙げられる。本発明者らは、白金触媒を用いて触媒の温度又はアンモニアガス供給量とアンモニア分解能力との関係について検討したところ、白金触媒の温度が２００℃の場合ではアンモニアはほとんど分解されないが、触媒温度を２５０℃に加熱して行った場合ではアンモニアガスが効率的に分解されることが分かった。特に、１時間当りのアンモニアガスの供給速度（ｃｍ３／ｈ）を触媒容積（ｃｍ３）の１／１５０００以下として触媒に通気することにより、触媒塔出口アンモニア濃度を０．１％以下にまで低減できることを確認した。
【００４０】
好適には、アンモニアガスの分解触媒として白金等の貴金属触媒を使用する場合は触媒を２２０〜３５０℃、好ましくは２００〜３００℃に加熱して行う。また、銅やクロム等の遷移金属触媒を用いて行う場合には、触媒の温度は３００〜４００℃とすることが好ましい。
【００４１】
以上の方法により原子力発電プラントの復水脱塩器の再生時に排出されるアンモニア含有再生廃液を処理することにより、再生廃液中のアンモニアを安全且つ簡便に処理できるとともに、放射性廃棄物の発生量を大幅に低減することができる。
【実施例】
【００４２】
実施例１：アルカリの添加による再生廃液の処理
第１の実施例として、再生廃液回収タンクにおいてｐＨ調整することにより再生廃液中のアンモニアを気相分離する方法を説明する（図６）。
【００４３】
炉水中に生成した酸素や過酸化水素等を還元するためにヒドラジン等の還元性窒素化合物を注入するプラントでは窒素や水の他に副生成物として微量のアンモニアも生成する。アンモニアは復水脱塩器のイオン交換樹脂に吸着されて炉水から除去される。アンモニア等が吸着したイオン交換樹脂は硫酸及び苛性ソーダを用いて洗浄・再生され、その廃液（再生廃液）は再生廃液回収タンク２６に回収される。
【００４４】
再生廃液中のアンモニアを気相分離させるために、苛性ソーダ貯槽タンク２５から苛性ソーダを再生廃液回収タンク２６中の再生廃液に添加する。再生廃液回収タンク２６に設けたｐＨ計５１により再生廃液のｐＨを確認し、再生廃液のｐＨが１１〜１２．５の範囲になるまで苛性ソーダを添加する。
【００４５】
次に、再生廃液回収タンクに設けたヒータ４６により、再生廃液の温度を６０℃まで昇温する。同時に、空気供給配管４５より再生廃液回収タンクに空気を供給（バブリング）し、アンモニアの気相分離を促進させる。
【００４６】
廃液回収タンク２６上部の空間に気相分離したアンモニアはファン４７で触媒分解塔４８に送る。触媒分解塔４８は触媒を加熱するためのヒータを有し、触媒は所定の温度に加熱される。触媒分解塔の温度は、白金等の貴金属が付着した触媒の場合は２５０℃から３００℃の範囲に設定することが望ましく、銅およびクロム等の遷移金属が付着した触媒を用いる場合には３００℃から４００℃に設定することが望ましい。触媒分解塔出口ガスは、冷却器４９により６０℃以下まで冷却したのち、発電所の換気空調系に送る。
【００４７】
再生廃液からのアンモニアの気相分離が終了したかどうかは、再生廃液回収タンク中の再生廃液をサンプリングしてアンモニア濃度を測定することにより確認することが望ましい。あるいは、より簡便には、触媒分解塔出口温度の変化を監視することでも確認できる。これは、アンモニアは触媒分解塔内で分解する際に発熱し、このためアンモニアが発生している間は触媒分解塔出口温度は高温となっているが、アンモニアの発生がなくなると触媒分解塔出口温度が低下するからである。
【００４８】
再生廃液回収タンク内のアンモニアの分離が終了した後、再生廃液は蒸発濃縮器２７に送られるが、このままでは再生廃液のｐＨが高く（アルカリ性が強く）、蒸発濃縮器を腐食させる恐れがあるので、蒸発濃縮器に送る前に再生廃液に酸を添加して中和する。本実施例では、酸として硫酸を硫酸貯槽タンク２４から配管４２を経由して再生廃液に添加する。この際、廃液回収タンクのｐＨ計５１の指示値を確認しながら、再生廃液のｐＨが８〜９の範囲になるように調整する。ｐＨが調整された再生廃液は蒸発濃縮器２７に移送されて蒸発濃縮処理が行われ、下流の廃液処理工程に送られる。
【００４９】
実施例２：電気再生式純水装置による再生廃液の処理
第２の実施例として、再生廃液を蒸発濃縮処理した後の凝縮水からアンモニアを気相分離する方法を説明する（図７）。
【００５０】
炉水中に生成した酸素や過酸化水素等を還元するためにヒドラジン等の還元性窒素化合物を注入するプラントでは窒素や水の他に副生成物として微量のアンモニアも生成する。アンモニアは復水脱塩器のイオン交換樹脂に吸着されて炉水から除去される。アンモニア等が吸着したイオン交換樹脂は硫酸及び苛性ソーダを用いて洗浄・再生され、その廃液（再生廃液）は再生廃液回収タンク２６に回収される。
【００５１】
再生廃液を再生廃液回収タンク２６から蒸発濃縮器２７に移送する。再生廃液は循環ポンプ５２により加熱器５３へ送られて加熱される。同時に、凝縮器５５を介して設置された真空ポンプ５７により濃縮器内が減圧される。蒸発濃縮器内が所定の温度及び圧力になると再生廃液が沸騰し、水が蒸発して廃液が濃縮される。アンモニアは揮発性なので蒸気とともに蒸発し、凝縮器５５内で水とともに凝縮して再び凝縮水中に溶解する。アンモニアが溶解した凝縮水は凝縮水タンク２９に回収される。
【００５２】
凝縮水は配管５９を経由して電気再生式純水装置６０に移送される。電気再生式純水装置は陽極１６と陰極１７との間に陽イオン交換膜１８を備えている。陽イオン交換膜は、陽イオンを容易に通過させるが陰イオンは通過させない性質を有している。電気再生式純水装置の陽極及び陰極に直流電流を直流電源６１より供給すると、電気再生式純水装置の陽極側（脱塩室）のアンモニウムイオンは陰極側（濃縮室）に移動する。アンモニウムイオンを除去した脱塩室水は配管６２を経由して低電導度廃液収集タンク（図示せず）に回収される。
【００５３】
一方、アンモニアが濃縮した陰極側（濃縮室）の水は配管６３を経由して再び凝縮水タンク２９に移送される。このようにして、陰極側に生成したアンモニア濃縮水を凝縮水タンク２９に戻すという循環操作を繰り返すと、凝縮水タンク中の再生廃液のアンモニウムイオン濃度が高められ、その結果ｐＨが上昇して自然にアンモニアが気相分離する。
【００５４】
凝縮水タンク２９の上部の空間に気相分離したアンモニアはファン４７で触媒分解塔４８に送る。触媒分解塔４８は触媒を加熱するためのヒータを有し、触媒を所定の温度に加熱する。触媒分解塔の温度は、白金等の貴金属が付着した触媒の場合は２５０℃から３００℃の範囲に設定することが望ましく、銅及びクロム等の遷移金属が付着した触媒を用いる場合には３００℃から４００℃に設定することが望ましい。触媒分解塔出口ガスは、冷却器４９により６０℃以下まで冷却したのち、発電所の換気空調系に送る。
【００５５】
実施例３：加熱又は空気ばっ気を併用した電気再生式純水装置による再生廃液の処理
第３の実施例は、実施例２で示した方法において、凝縮水タンク２９で凝縮水を加熱するとともに空気を通気してアンモニアの気相分離を促進させる方法である（図８）。
【００５６】
凝縮水タンク２９には、凝縮水の加熱のための電気ヒータ４６及び／又は凝縮水に空気を通気するための空気供給設備４５が設置されており、その他は実施例２で使用した装置（図７）と同じである。電気ヒータ４６及び／又は空気供給設備４５を設置することにより、再生廃液中のアンモニアの気相分離効率を著しく向上することができる。その他、アンモニアの気相分離および触媒分解設備の運転方法は、実施例２と同じであるため省略する。
【符号の説明】
【００５７】
１  原子炉圧力容器
２  タービン
３  復水脱塩器
４  給水ポンプ
５  給水加熱器
６  給水系配管
７  原子炉冷却水再循環ポンプ
８  原子炉冷却水浄化系ポンプ
９  原子炉冷却水浄化系配管
１０  原子炉冷却水浄化系熱交換器
１１  原子炉冷却水ろ過脱塩器
１２  復水器
１３  主蒸気配管
２１  イオン交換樹脂分離およびカチオン樹脂洗浄塔
２２  アニオン樹脂再生塔
２３  樹脂貯槽タンク
２４  硫酸貯槽タンク
２５  苛性ソーダ貯槽タンク
２６  再生廃液回収タンク
２７  蒸発濃縮器
３０  低電導度廃液収集タンク
４５  空気供給設備
４６  電気ヒータ
４７  送気ファン
４８  触媒分解塔
４９  冷却器
５１  ｐＨ計
５３  蒸発式濃縮器用加熱器
５５  蒸発式濃縮器用凝縮器
５７  蒸発式濃縮器用真空ポンプ
６０  電気再生式純水装置
【図１】
2010064074.tif 000002
【図２】
2010064074.tif 000003
【図３】
2010064074.tif 000004
【図４】
2010064074.tif 000005
【図５】
2010064074.tif 000006
【図６】
2010064074.tif 000007
【図７】
2010064074.tif 000008
【図８】
2010064074.tif 000009